(57)【要約】【課題】固定部材によって電池蓋を浸水経路が形成されることなく端末本体部に固定し、部品点数の削減、防塵性及び防水性の向上を実現する構成を提供する。【解決手段】携帯端末１０は、電池３０を収容する電池収容部２２を備える端末本体部２０と、端末本体部２０に着脱可能な構成で、電池収容部２２を被覆する電池蓋４０と、端末本体部２０の外部に位置し、電池蓋４０を端末本体部２０に対して固定する固定部材５０と、を備えている。また、固定部材５０に形成される係合部５７が電池蓋４０に形成される被係合部４２に係合することで電池蓋４０が電池収容部２２を被覆する状態で固定される固定部材５０の位置を固定位置とするとき、端末本体部２０の外面２１（傾斜面２１ｂ）上には、固定部材５０を固定位置に移動可能に支持する支持部２３ａ，２３ｂが形成されている。【選択図】図５
2016195075.tif 000002
【特許請求の範囲】
【請求項１】
電池を収容する電池収容部を備える端末本体部と、
前記端末本体部に着脱可能な構成で、前記電池収容部を被覆する電池蓋と、
前記端末本体部の外部に位置し、前記電池蓋を前記端末本体部に対して固定する固定部材と、
を備え、
前記固定部材に形成される係合部が前記電池蓋に形成される被係合部に係合することで前記電池蓋が前記電池収容部を被覆する状態で固定される前記固定部材の位置を固定位置とするとき、
前記端末本体部の外面上には、前記固定部材を少なくとも前記固定位置に移動可能に支持する支持部が形成されることを特徴とする携帯端末。
【請求項２】
前記支持部は、前記固定部材を、前記固定位置と、前記係合部と前記被係合部との係合が解除される解除位置と、の間にて前記外面に沿うように案内するように形成されることを特徴とする請求項１に記載の携帯端末。
【請求項３】
前記支持部は、前記固定部材が前記固定位置と前記解除位置との間を移動する際の移動方向と直交する方向への当該固定部材の移動を規制するように形成されることを特徴とする請求項２に記載の携帯端末。
【請求項４】
前記端末本体部には、前記固定部材が前記解除位置に位置する時に、前記固定部材の一部が嵌り込む第１凹部が形成されることを特徴とする請求項２又は請求項３に記載の携帯端末。
【請求項５】
前記端末本体部には、前記固定部材が前記固定位置に位置する時に、前記固定部材の一部が嵌り込む第２凹部が形成されることを特徴とする請求項４に記載の携帯端末。
【発明の詳細な説明】
【技術分野】
【０００１】
本発明は、携帯端末に関するものである。
【背景技術】
【０００２】
従来の携帯端末は、図１４に示すように、端末１内に内蔵する乾電池などの電源を交換可能にするために、電源を覆う電源カバー３を端末本体２に組み込まれた可動式レバー４で固定する構成が用いられている。また、例えば、特許文献１に開示される携帯端末は、電池蓋の係合爪が、それぞれ端末本体部の孔部に係合すると共に、電池蓋の係合壁が、端末本体部に組み付けられた解除操作部の変位爪に係合することで、電池蓋が端末本体部に保持される構成である。
【先行技術文献】
【特許文献】
【０００３】
【特許文献１】特開２００９−６５４２８号公報
【発明の概要】
【発明が解決しようとする課題】
【０００４】
近年、携帯端末の小型軽量化が求められており、携帯端末を構成する部品点数の低減を図る必要がある。また、携帯端末における防塵性及び防水性の保護等級（ＩＰコード）も高等級であることが求められており、端末本体における浸水経路の発生防止が必要となっている。
しかしながら、図１４に示す従来の携帯端末の構成では、電源カバー３を固定する可動式レバー４を端末本体２に組み付けてスライド移動可能とするために、端末本体２の内部（回路基板などが収容されるスペース）に通じるような開口部を形成する必要がある。そのため、端末本体２に外部へと繋がる浸水経路が形成され、端末１の防塵性及び防水性が悪化する問題がある。
また、このような防水性の悪化を抑制するために、端末本体２の内部側から浸水経路を塞ぐための蓋やパッキンを設ける方法も考えられるが、端末１を構成する部品点数の増大を招き、端末１の小型軽量化を図ることができなくなる。特許文献１の携帯端末の構成も同様である。
【０００５】
本発明は、上述した課題を解決するためになされたものであり、固定部材によって電池蓋を浸水経路が形成されることなく端末本体部に固定し、部品点数の削減、防塵性及び防水性の向上を実現する構成を提供することを目的とする。
【課題を解決するための手段】
【０００６】
上記目的を達成するため、請求項１の発明に関する携帯端末は、
電池を収容する電池収容部を備える端末本体部と、
前記端末本体部に着脱可能な構成で、前記電池収容部を被覆する電池蓋と、
前記端末本体部の外部に位置し、前記電池蓋を前記端末本体部に対して固定する固定部材と、
を備え、
前記固定部材に形成される係合部が前記電池蓋に形成される被係合部に係合することで前記電池蓋が前記電池収容部を被覆する状態で固定される前記固定部材の位置を固定位置とするとき、
前記端末本体部の外面上には、前記固定部材を少なくとも前記固定位置に移動可能に支持する支持部が形成されることを特徴とする。
【発明の効果】
【０００７】
請求項１の発明では、端末本体部の外面上に、固定部材を少なくとも固定位置で移動可能に支持する支持部が形成される構成である。このような支持部を設けることによって、固定部材が組み付けられるように機能する開口部を端末本体部に設ける必要がなくなる。すなわち、上記固定部材のような部品を端末本体部に組み付ける場合に、一般に端末本体部に開口部を形成して固定部材を入り込ませ、その一部を外部に露出させるような構成で固定部材の支持及び操作を可能とするが、このような開口部が不要となる。そのため、開口部を設けることによって防水性を確保するためのパッキンなどの部品点数の増大を回避することができ、その開口部を介した浸水経路が形成されることもなく防塵性及び防水性を向上させることができる。
【０００８】
請求項２の発明では、支持部は、固定部材を、固定位置と、係合部と被係合部との係合が解除される解除位置と、の間にて外面に沿うように案内するように形成される構成となっている。
この構成によれば、固定部材の固定位置と解除位置との間の移動を、支持部の案内により外面に沿って行わせることができ、固定部材の移動を案内するような開口部を端末本体部に設ける必要がなくなる。そのため、防水性を確保するためのパッキンなどの部品点数の増大を抑え、防塵性及び防水性を向上させることができる。
【０００９】
請求項３の発明では、端末本体部の支持部は、固定部材が固定位置と解除位置との間を移動する際の移動方向と直交する方向への当該固定部材の移動を規制するように形成される構成である。
この構成によれば、固定部材が固定位置と解除位置との間を移動する際に、支持部によって固定部材が端末本体部から抜け出すことを抑制しつつ、移動方向への円滑な移動を促すことができる。
【００１０】
請求項４の発明では、端末本体部には、固定部材が解除位置に位置する時に、固定部材の一部が嵌り込む第１凹部が形成される構成である。
この構成によれば、固定部材を解除位置に位置させる際に、固定部材の一部が端末本体部の第１凹部に嵌り込むことによって、固定部材が解除位置から外れて端末本体部から抜け落ちることを抑制することができる。
【００１１】
請求項５の発明では、端末本体部には、固定部材が固定位置に位置する時に、上記固定部材の一部が嵌り込む第２凹部が形成される構成である。
この構成によれば、固定部材が固定位置に位置するように電池蓋を端末本体部に固定する際に、固定部材の一部が端末本体部の第２凹部に嵌り込むことによって、固定部材の位置決めを容易に行うことができる。また、電池蓋が端末本体部に対して固定状態にある時に、固定部材の一部が端末本体部の第２凹部に嵌り込むことによって、固定部材が固定位置から抜け出すことを抑制することができる。
【図面の簡単な説明】
【００１２】
【図１】図１は、本発明の第１実施形態に係る携帯端末を概略的に示す底面図である。
【図２】図２は、図１の携帯端末の電気的構成を例示するブロック図である。
【図３】図３は、図１のＡ−Ａ断面を示す断面図である。
【図４】図４は、固定部材が解除位置にある時の図１のＡ−Ａ断面を示す断面図である。
【図５】図５（Ａ）は、図３における固定部材とその固定部材周辺の一部を拡大して示す断面図であり、図５（Ｂ）は、図４における固定部材とその固定部材周辺の一部を拡大して示す断面図である。
【図６】図６は、図１の固定部材の平面図である。
【図７】図７は、図１の固定部材の底面図である。
【図８】図８は、図１の固定部材の左側面図である。
【図９】図９は、図１の固定部材の正面図である。
【図１０】図１０は、固定部材を端末本体部に組み付ける前の状態を概略的に示す左上方から見た斜視図である。
【図１１】図１１は、固定部材が端末本体部に対して解除位置にある状態を概略的に示す左上方から見た斜視図である。
【図１２】図１２は、固定部材が端末本体部に対して固定位置にある状態を概略的に示す左上方から見た斜視図である。
【図１３】図１３（Ａ）は、本発明の第１実施形態の変形例に係る固定部材を概略的に示す右上方から見た斜視図であり、図１３（Ｂ）は、その固定部材を右下方から見た斜視図である。
【図１４】図１４は、従来の携帯端末を概略的に示す底面図である。
【発明を実施するための形態】
【００１３】
［第１実施形態］
以下、本発明に係るプレスフィット端子を具現化した第１実施形態について、図面を参照して説明する。
図１等に例示する携帯端末１０は、例えば、ユーザによって携帯されて様々な場所で用いられる携帯型の情報端末として構成されており、バーコードや二次元コードなどの情報コードを読み取る機能を有している。また、携帯端末１０は、長手状の外観をなしており、長手方向一端側において開口する形態で読取口２１ａが設けられ、その他端側のほぼ半分の領域が把持領域とされ、ユーザによって把持されつつ使用される構成をなしている。また、端末本体部２０の内部には、回路基板（図示略）が収容されている。
【００１４】
ここで、情報コードＣは、ＱＲコード（登録商標）、データマトリックコード、マキシコード、その他の二次元コードなどであってもよく、バーコード等の一次元コードであってもよい。また、複数の情報コードが一度に撮像されて一括して読み取られてもよい。
【００１５】
なお、以下の説明では、図１に示すように、携帯端末１０の長手方向における読取口２１ａが配置される側に向かう方向を前方向、それとは反対方向を後方向とする。また、携帯端末１０の幅方向の紙面上左手方向を左方向、それとは反対方向を右方向とする。また、図３に示すように、携帯端末１０の厚さ方向（前後方向及び左右方向と直交する方向）における紙面上方を上方向、それとは反対方向を下方向とする。
【００１６】
図２に示すように、携帯端末１０が備える回路部６０は、公知のレーザ方式にて情報コードＣをスキャンする読取モジュール６１と、メモリ６４、制御回路７０、トリガースイッチ７４等からなるマイクロコンピュータ系とから構成されており、これらが上述の回路基板（図示略）に実装された構成をなしている。
【００１７】
情報コードリーダの分野においてレーザ方式の読取モジュールの構成は公知であるので詳細な説明は省略するが、例えば、レーザダイオードと、このレーザダイオードからのレーザ光を反射するミラーと、受光素子とを備えた構成とし、ミラーの角度をモータ等のアクチュエータを用いて制御することでレーザ光の走査を行い、そのレーザ光が情報コードＣにて反射した反射光を受光素子にて受光することで、情報コードＣの画像信号を生成する構成とすることができる。
【００１８】
マイコン系は、増幅回路６２、Ａ／Ｄ変換回路６３、メモリ６４、アドレス発生回路６５、同期信号発生回路６６、制御回路７０、トリガースイッチ７４、ブザー７１、液晶表示器７２、通信インタフェース７３等から構成されている。
【００１９】
読取モジュール６１から出力される画像信号（アナログ信号）は、増幅回路６２に入力されることで所定ゲインで増幅された後、Ａ／Ｄ変換回路６３に入力されると、アナログ信号からディジタル信号に変換される。そして、ディジタル化された画像信号、つまり画像データ（画像情報）は、メモリ６４に入力されると、所定のコード像画像情報格納領域に蓄積される。なお、同期信号発生回路６６は、読取モジュール６１およびアドレス発生回路６５に対する同期信号を発生可能に構成されており、またアドレス発生回路６５は、この同期信号発生回路６６から供給される同期信号に基づいて、メモリ６４に格納される画像データの格納アドレスを発生可能に構成されている。
【００２０】
制御回路７０は、携帯端末１０全体を制御可能なマイコンで、ＣＰＵ、システムバス、入出力インタフェース等からなるもので、メモリ６４とともに情報処理装置を構成し得るもので情報処理機能を有する。この制御回路７０は、内蔵された入出力インタフェースを介して種々の入出力装置（周辺装置）と接続可能に構成されており、本実施形態の場合、トリガースイッチ７４、ブザー７１、液晶表示器７２、通信インタフェース７３等を接続されている。これにより、例えば、トリガースイッチ７４の監視や管理、ビープ音やアラーム音を発生可能なブザー７１の鳴動のオンオフ、液晶表示器７２の表示制御、さらには読み取った情報コードＣのコード内容を外部機器へ送信するといった通信インタフェース７３の通信制御等を可能にしている。
【００２１】
次に、携帯端末１０を構成する要素について詳述する。
図３、図４に示すように、携帯端末１０は、電池３０と、この電池３０を収容する電池収容部２２を備えた端末本体部２０と、この端末本体部２０に着脱可能に装着される電池蓋４０と、を備えている。端末本体部２０は、液晶表示器や操作ボタン等が配される側とは反対側に電池収容部２２が構成されており、この電池収容部２２内に直方体状の電池３０が収容されるようになっている。
【００２２】
端末本体部２０に形成される電池収容部２２は、図３、図４、図１０〜図１２に示すように、端末本体部２０の底面側（上方側）に開口する形態で箱状に構成されている。なお、図１０〜図１２では、端末本体部２０の上方側の一部と固定部材５０のみを図示し、その他の構成要素の図示を省略している。また、電池収容部２２よりも前方側に隣接する外面２１の一部は、電池収容部２２側（後方側）に向かって低位置となる傾斜面２１ｂとして構成されている。この傾斜面２１ｂには、図１０〜図１２に示すように、固定部材５０が端末本体部２０の外面２１に沿って所定方向に移動するように案内する支持部２３ａ，２３ｂが形成されている。支持部２３ａは、傾斜面２１ｂの左側の端部から上方に立ち上がり、内側（右側）に折れ曲がるような形状であり、上面が湾曲形状となっている。同様に、支持部２３ｂは、傾斜面２１ｂの右側の端部から上方に立ち上がり、内側（左側）に折れ曲がるような形状であり、上面が湾曲形状となっている。
【００２３】
また、図５、図１０に示すように、傾斜面２１ｂと電池収容部２２との間には、下方側に凹む第２凹部２５が形成されている。具体的には、第２凹部２５は、図１０に示すように、傾斜面２１ｂと電池収容部２２との間に形成された断面視略三角形状の突起部２５ａと、傾斜面２１ｂの傾斜方向下端において端末本体部２０の内部側に凹むように形成された切欠部２５ｂと、を備えている。また、傾斜面２１ｂにおいて、第２凹部２５よりも傾斜面２１ｂに沿った上方の位置に第１凹部２６が形成されている。この第１凹部２６は、第２凹部２５と同程度の左右方向の幅で端末本体部２０の内部側に凹む断面視略三角形状となっている。また、傾斜面２１ｂにおいて第１凹部２６と隣接し傾斜面２１ｂに沿った上方の位置に、端末本体部２０の内部側に凹む第３凹部２７が形成されている。この第３凹部２７は、第１凹部２６の幅よりも広い左右方向の幅となっている。
【００２４】
固定部材５０は、端末本体部２０に対する可動式の部材として構成され、電池蓋４０を端末本体部２０に対して固定するように機能する。また、固定部材５０は、図６〜図９に示すように、略矩形板状の本体部５１を備えている。また、本体部５１の一端側（左側の端部）には、本体部５１の厚みよりも薄い略板状の側板部５２ａが形成され、本体部５１の他端側（右側の端部）には、本体部５１の厚みよりも薄い略板状の側板部５２ｂが形成されている。側板部５２ａは、上面が外側（左側）に向かうにつれて低位置となるように傾斜しており、側板部５２ｂは、上面が外側（右側）に向かうにつれて低位置となるように傾斜している。また、固定部材５０の下面には、前後方向における中央付近より僅かに前方向側に寄った位置から後方向に向かって本体部５１よりも突出するように延出する延出部５３が形成されている。この延出部５３の先端部分の下方側には、下方側に突出する側面視略三角形状の第１突出部５４が形成されており、この第１突出部５４は第１凹部２６又は第２凹部２５に上方側から嵌り込むことが可能な構成となっている。
【００２５】
また、固定部材５０の下面には、図７、図９に示すように、前後方向における中央付近であって、延出部５３を挟むような位置に下方側に突出する第２突出部５５ａ，５５ｂが形成されている。第２突出部５５ａ，５５ｂは、横方向（左右方向）に伸びる長手形状に構成されている。また、固定部材５０の下面には、第２突出部５５ａ及び第２突出部５５ｂをそれぞれ挟むように左右方向に伸びる構成で突出する第３突出部５６ａ，５６ｂ及び第３突出部５６ｃ，５６ｄが形成されている。
【００２６】
また、固定部材５０の上面は、図８に示すように、本体部５１の下面に対して傾斜する構成となっており、具体的には、後方に向かうにつれて高位置となるように傾斜している。また、固定部材５０の上面には、端末本体部２０の外面上（外面２１の上面よりも上方、以下同様）で電池蓋４０と係合する係合部５７が形成されている。この係合部５７は、本体部５１の上面の後方側の端部に突出片として構成され、本体部５１の延出部５３と離間するように、第１突出部５４よりも上方に位置するように構成されている。また、固定部材５０の上面には、複数の突起状の滑り止め５８が形成されている。
【００２７】
ここで、端末本体部２０と固定部材５０の連係動作について説明する。例えば、図１０に示すように、固定部材５０を傾斜面２１ｂの上方側に位置させる。そして、側板部５２ａの後方側端部が傾斜面２１ｂと支持部２３ａとの間に挿入されるように、かつ側板部５２ｂの後方側端部が傾斜面２１ｂと支持部２３ｂとの間に挿入されるようにして、固定部材５０を傾斜面２１ｂに沿って移動させる。このとき、固定部材５０は、支持部２３ａ，２３ｂの案内によって端末本体部２０の外面（傾斜面２１ｂ）に沿って移動し、図４、図５（Ｂ）、図１１に示すように、固定部材５０の第１突出部５４が第１凹部２６に嵌り込み（図１１も参照）、第２突出部５５ａ，５５ｂが第３凹部２７の前方側の側壁部近傍に位置することになる。そのため、固定部材５０を前方側に移動させようとする力が加えられた場合でも、第２突出部５５ａ，５５ｂが第３凹部２７の前方側の側壁部に当接することで、固定部材５０の前方側への移動を規制して端末本体部２０から抜け落ちることを抑制することができる。なお、固定部材５０が傾斜面２１ｂを移動する際には、固定部材５０は、傾斜面２１ｂと端末本体部２０の支持部２３ａ，２３ｂとによって、移動方向と直交する方向（左右方向、後斜め上方向、及び前斜め下方向）への移動が規制されて案内されることになる。
【００２８】
また、固定部材５０を、例えば作業者によって一定の押圧力で下方側に押圧されることで、支持部２３ａ，２３ｂの案内によって傾斜面２１ｂに沿ってさらに下方側に移動させる。すると、図３、図５（Ａ）に示すように、固定部材５０の延出部５３が上方側に弾性変形するように第１突出部５４が第２凹部２５側に押し込まれて第２凹部２５に嵌り込むことになる（図１２も参照）。これにより、第１突出部５４が第２凹部２５の突起部２５ａに当接することで、固定部材５０がそれ以上後方側に移動することを規制することができる。また、固定部材５０の第２突出部５５ａ，５５ｂが第３凹部２７の後方側の側壁部近傍に位置することになる。
【００２９】
また、固定部材５０は、図３、図５（Ａ）、図１２の状態から、例えば作業者によって一定の押圧力で前方側に押圧されることで、支持部２３ａ，２３ｂによる案内によって傾斜面２１ｂに沿って前方側に移動させる。すると、図４、図５（Ｂ）に示すように、固定部材５０の延出部５３が上方側に弾性変形するように第１突出部５４が第１凹部２６側に押し込まれて第１凹部２６に嵌り込むことになる。これにより、第１突出部５４が第１凹部２６の前方側の壁部に当接することで、固定部材５０がそれ以上前方側に移動することを規制することができる。また、第２突出部５５ａ，５５ｂが第３凹部２７の前方側の側壁部近傍に位置することになる。
【００３０】
電池蓋４０は、図３、図４に示すように、電池収容部２２を被覆（閉塞）するものであり、略板状に形成されている。また、電池蓋４０には、一端（後方側の端部）において端末本体部２０における電池収容部２２の後方側の側壁部に形成された凹部（図示略）に嵌り込む凸形状の係合爪４１（図４参照）が形成されている。また、電池蓋４０には、他端（前方側の端部）において固定位置に位置する固定部材５０の係合部５７と係合する被係合部４２が形成されている。この被係合部４２は、電池蓋４０の上面から下方側に凹むように構成され、図３〜図５に示すように、断面視略Ｌ字状に形成されている。
【００３１】
次に、端末本体部２０に電池３０を収容して電池蓋４０を装着する工程を説明する。まず、図３、図４に示すように、端末本体部２０の電池収容部２２に長手状の電池３０を２本収容する。例えば、電池３０は、図３、図４に示すように、＋端子側に形成された凸部３１が電池収容部２２の側壁に形成された電池用凹部２２ｂに嵌合し、−端子が電池収容部２２に設けられた接点用ばね２２ｃに接触した状態で、電池収容部２２の底壁などによって支持されることになる。
【００３２】
また、図４に示すように、電池蓋４０の後方側端部に形成された係合爪４１を、電池収容部２２の後方側の側壁部に形成された凹部（図示略）に嵌め込むようにして、図３に示すように、電池収容部２２を電池蓋４０によって上方側から閉塞する。
【００３３】
そして、固定部材５０を、図１１に示すように、傾斜面２１ｂの上方側に位置する状態から傾斜面２１ｂに沿って移動させる。例えば、作業者が固定部材５０の滑り止め５８部分を指で下方側に押さえつけることで固定部材５０を傾斜面２１ｂにそって移動させることができる。このようにして、固定部材５０は、図４、図５（Ｂ）に示すように、係合部５７と電池蓋４０の被係合部４２とが係合しない解除位置に位置することになり、図４に示すように、電池蓋４０が端末本体部２０に固定されない状態のままとなる。
【００３４】
また、固定部材５０を解除位置から傾斜面２１ｂに沿ってさらに下方側に移動させ、図３、図５（Ａ）に示すように、固定部材５０を係合部５７と電池蓋４０の被係合部４２とが固定部材５０の外面２１上で係合する固定位置に位置させる。これにより、図３、図５（Ａ）に示すように、固定部材５０の係合部５７が、電池蓋４０の被係合部４２におけるＬ字部分の底壁部の上面を上方側から当接するように係合する構成となる。そして、電池蓋４０は、係合爪４１が電池収容部２２に形成された上記凹部（図示略）に嵌め込まれると共に、被係合部４２が固定部材５０の係合部５７と係合することによって、端末本体部２０に対して固定されることになる。なお、このとき、図１、図３に示すように、端末本体部２０の外面２１と、固定部材５０の上面と、電池蓋４０の上面とは、それぞれの間で段差形状を形成しない連続した面を構成することになる。
【００３５】
次に、電池蓋４０を取り外して端末本体部２０から電池３０を取り出す工程を説明する。まず、図３、図５（Ａ）に示すように、固定部材５０が固定位置にある状態から、固定部材５０を傾斜面２１ｂに沿って前方側に移動させる。例えば、作業者が固定部材５０の滑り止め５８部分を指で前方側に押さえつけることで固定部材５０を移動させることができる。このようにして、固定部材５０は、図４、図５（Ｂ）に示すように、解除位置に位置することになり、図４に示すように、電池蓋４０が端末本体部２０に固定されない状態となる。また、固定部材５０による固定が解除された電池蓋４０は、係合爪４１を電池収容部２２に形成された凹部（図示略）から抜き出すことによって電池収容部２２が外部に開放されることになり、電池３０を電池収容部２２から取り出すことができる。
【００３６】
以上説明したように、端末本体部２０の外面２１（傾斜面２１ｂ）上に、固定部材５０を固定位置で移動可能に支持する支持部２３ａ，２３ｂが形成される構成である。このような支持部２３ａ，２３ｂを設けることによって、固定部材５０が組み付けられるように機能する開口部を端末本体部２０に設ける必要がなくなる。すなわち、上記固定部材５０のような部品を端末本体部２０に組み付ける場合に、一般に端末本体部２０に開口部を形成して固定部材５０を入り込ませ、その一部を外部に露出させるような構成で固定部材５０の支持及び操作を可能とするが、このような開口部が不要となる。そのため、開口部を設けることによって防水性を確保するためのパッキンなどの部品点数の増大を回避することができ、その開口部を介した浸水経路が形成されることもなく防塵性及び防水性を向上させることができる。
【００３７】
また、支持部２３ａ，２３ｂは、固定部材５０を、固定位置と、係合部５７と被係合部４２との係合が解除される解除位置と、の間にて外面２１（傾斜面２１ｂ）に沿うように案内するように形成される構成である。
この構成によれば、固定部材５０の固定位置と解除位置との間の移動を、支持部２３ａ，２３ｂの案内により外面２１（傾斜面２１ｂ）に沿って行わせることができ、固定部材５０の移動を案内するような開口部を端末本体部２０に設ける必要がなくなる。そのため、防水性を確保するためのパッキンなどの部品点数の増大を抑え、防塵性及び防水性を向上させることができる。
【００３８】
また、端末本体部２０の支持部２３ａ，２３ｂは、固定部材５０が固定位置と解除位置との間を移動する際の移動方向と直交する方向への当該固定部材５０の移動を規制するように形成される構成である。
この構成によれば、固定部材５０が固定位置と解除位置との間を移動する際に、支持部２３ａ，２３ｂによって固定部材５０が端末本体部２０から抜け出すことを抑制しつつ、移動方向への円滑な移動を促すことができる。
【００３９】
また、端末本体部２０には、固定部材５０が解除位置に位置する時に、固定部材５０の第１突出部５４が嵌り込む第１凹部２６が形成される構成である。
この構成によれば、固定部材５０を解除位置に位置させる際に、固定部材５０の第１突出部５４が端末本体部２０の第１凹部２６に嵌り込むことによって、固定部材５０が解除位置から外れて端末本体部２０から抜け落ちることを抑制することができる。
【００４０】
また、端末本体部２０には、固定部材５０が固定位置に位置する時に、固定部材５０の第１突出部５４が嵌り込む第２凹部２５が形成される構成である。
この構成によれば、固定部材５０が固定位置に位置するように電池蓋４０を端末本体部２０に固定する際に、固定部材５０の第１突出部５４が端末本体部２０の第２凹部２５に嵌り込むことによって、固定部材５０の位置決めを容易に行うことができる。また、電池蓋４０が端末本体部２０に対して固定状態にある時に、固定部材５０の一部が端末本体部２０の第２凹部２５に嵌り込むことによって、固定部材５０が固定位置から抜け出すことを抑制することができる。
【００４１】
次に、第１実施形態の第１変形例に係る携帯端末１０について、図１３を用いて説明する。
第１変形例に係る携帯端末１０は、固定部材５０に、延出片５９ａ，５９ｂを設ける構成が第１実施形態の固定部材５０の構成と異なり、それ以外は第１実施形態と同一である。そのため、第１実施形態と同様の構成については第１実施形態と同一の符号を付し、詳細な説明は省略する。
【００４２】
固定部材５０には、図１３（Ａ）（Ｂ）に示すように、側板部５２ａの後方側端部から後方に突出する略台形板状の延出片５９ａと、側板部５２ｂの後方側端部から後方に突出する略台形板状の延出片５９ｂと、が形成されている。また、側板部５２ａの左側面には、左方向に突出する側面視略三角形状の凸部５９ｃがプレスフィットとして機能するように形成され、側板部５２ｂの右側面には、右方向に突出する側面視略三角形状の凸部５９ｄがプレスフィットとして機能するように形成されている。なお、左右方向における凸部５９ｃの左側端部と凸部５９ｄの右側端部との間の距離は、支持部２３ａの下方側の側壁部と支持部２３ｂの下方側の側壁部との間の距離よりも大きくなっている。
【００４３】
このような固定部材５０を端末本体部２０に組み付ける際に、延出片５９ａ，５９ｂが弾性変形するように支持部２３ａ，２３ｂの間に圧入されることになる。そして、固定部材５０を傾斜面２１ｂに沿って下方側に移動させ、凸部５９ｃ，５９ｄがそれぞれ支持部２３ａ，２３ｂよりも後方側に抜け出すことで延出片５９ａ，５９ｂの弾性変形が元に戻り、凸部５９ｃ，５９ｄがそれぞれ支持部２３ａ，２３ｂの後方側端部に当接する構成となる。例えば、固定部材５０が解除位置に位置する時に、凸部５９ｃ，５９ｄがそれぞれ支持部２３ａ，２３ｂよりも後方側に飛び出す構成とする。このようにして、固定部材５０が解除位置から前方に移動することを抑制することができる。また、このような構成であっても、上記第１実施形態と同様の効果を奏することができる。
【００４４】
［他の実施形態]
本発明は上記記述及び図面によって説明した実施形態に限定されるものではなく、例えば次のような実施形態も本発明の技術的範囲に含まれる。
【００４５】
上記第１実施形態において、支持部２３ａ，２３ｂによって、固定部材５０が、固定位置と、係合部５７と被係合部４２との係合が解除される解除位置と、の間にて端末本体部２０の外面２１（傾斜面２１ｂ）に沿うように案内される構成を例示した。しかしながら、支持部２３ａ，２３ｂによって、固定部材５０が少なくとも固定位置で移動可能に支持される構成であれば、その他の構成であってもよい。例えば、支持部によって、固定部材５０が、端末本体部２０の外面２１に沿って移動することなく、端末本体部２０の外部から外面２１を介さず固定位置に移動するように案内する構成であってもよい。
【００４６】
また、上記第１実施形態において、固定部材５０が、傾斜面２１ｂと支持部２３ａ，２３ｂとの間に弾性変形するように圧入される構成であってもよい。このような構成とすることによって、固定部材５０が、組付けられた端末本体部２０から抜け落ちることを抑制することができる。
【符号の説明】
【００４７】
１０…携帯端末
２０…端末本体部
２１…外面  ２１ｂ…傾斜面
２３ａ，２３ｂ…支持部
２５…第２凹部  ２６…第１凹部
３０…電池
４０…電池蓋  ４２…被係合部
５０…固定部材
５４…第１突出部  ５７…係合部
【図１】
2016195075.tif 000003
【図２】
2016195075.tif 000004
【図３】
2016195075.tif 000005
【図４】
2016195075.tif 000006
【図５】
2016195075.tif 000007
【図６】
2016195075.tif 000008
【図７】
2016195075.tif 000009
【図８】
2016195075.tif 000010
【図９】
2016195075.tif 000011
【図１０】
2016195075.tif 000012
【図１１】
2016195075.tif 000013
【図１２】
2016195075.tif 000014
【図１３】
2016195075.tif 000015
【図１４】
2016195075.tif 000016